(57)【要約】【課題】連結の強度とねじれ方向の耐荷重性を向上させることができると共に、容易に組み立てることができ、かつ部品点数を少なくすることができる什器の連結構造を提供することを目的とする。【解決手段】調整雄ねじ３をナット２ｃに対して螺出させることで基材２に対して上昇するロック部材４を有した連結機構１を、一方の支柱に取り付け、この連結機構１を他方の支柱Ｐ２の筒状内に挿入して一方と他方の支柱Ｐ２を連結する構成としたので、ロック部材４が他方の支柱Ｐ２の筒状内を開く方向に押圧するから強固に結合させることができると共に、多数の螺子を要しないので容易に組み立てができると共に、支柱以外の部品点数を少なくすることができる。【選択図】        図４
2005036840.tif 000002
【特許請求の範囲】
【請求項１】
筒状の支柱を連結して枠体を構成する什器の、前記支柱を連結する構造であって、幅方向の中央部に形成された凹状部の底面部に雌ねじを有した孔が形成された基材と、この基材の前記雌ねじに螺入され、前記凹状部側の端面にレンチが挿入される穴が形成された調整雄ねじと、前記基材の凹状部で調整雄ねじの上方に配され、前記雄ねじの螺入出によって上下動するロック部材と、このロック部材を上下移動可能に保持しつつ前記基材に取付られる保持部材とを備えた連結機構を、一方の支柱に取り付け、一方の支柱に取り付けた前記連結機構を、前記調整雄ねじの穴と対応するレンチ挿入孔が形成された他方の支柱の筒状内に挿入することを特徴とする什器の連結構造。
【発明の詳細な説明】
【０００１】
【発明の属する技術分野】
本発明は、連結強度を向上させることができると共に、容易に組み立てることができ、かつ部品点数を少なくすることができる什器の連結構造に関するものである。
【０００２】
【従来の技術】
筒状の支柱を連結して枠体を構成し、この枠体に対してさらにフック、棚、及び板部材等を設ける什器における該支柱の連結構造としては、例えば以下に示す特許文献１〜３が知られている。
【０００３】
【特許文献１】
特開２０００−６５４１６号公報（請求項１、第２図）
【特許文献２】
特開２００１−１９０３７２号公報（請求項１、第１図）
【特許文献３】
特開２００１−１９０３７１号公報（請求項１、第１図）
【０００４】
上記した特許文献１〜３では、支柱同士の連結強度、特に什器の土台となる脚部における耐荷重性や耐振動性を高くするために、一方の支柱に形成された孔に対して他方の支柱の端部を挿入して治具や金具を用いて一方と他方の支柱を一体的に連結するようにしている。
【０００５】
【発明が解決しようとする課題】
しかしながら、上記した特許文献１〜３では、確かに一方の支柱に対して他方の支柱の端部を挿入することである程度の連結強度を保持できるが、その反面一方の支柱には他方の支柱を挿入すべき孔を形成しているため、一方の支柱自体の強度、とくにねじれに対する強度が低下するといった問題がある。
【０００６】
この一方の支柱を設けることによる強度の低下は、他方の支柱を挿入したからといって向上するものではなく、むしろ、他方の支柱を挿入することにより、該他方の支柱のねじれの応力が、支点となる一方の支柱の孔部分に大きくかかり、一方の支柱の孔が大きく広がったり、ねじ程度の連結では連結を保持できない可能性がある。
【０００７】
また、従来の連結構造では、上記した連結の強度を補強しようとして、支柱以外にその他の様々な治具や、複数の位置でねじ止めを要するために多数のねじが必要となり、組み立てに時間がかかるほか、細かい部材を紛失しやすいといった問題があった。
【０００８】
本発明は、上記の問題を解決するものであり、連結の強度とねじれ方向の耐荷重性を向上させることができると共に、容易に組み立てることができ、かつ部品点数を少なくすることができる什器の連結構造を提供することを目的とする。
【０００９】
【課題を解決するための手段】
上記の目的を達成するために、本発明は、調整雄ねじを基材の雌ねじを有した孔から螺出させることでロック部材を基材に対して上昇させる連結機構を、一方の支柱に取り付け、この連結機構を他方の支柱の筒状内に挿入して一方と他方の支柱を連結する構成としたので、前記したように連結機構におけるロック部材が上昇したときには、このロック部材が他方の支柱の筒状内を開く方向に押圧するから強固に結合させることができると共に、多数の螺子を要しないので容易に組み立てができると共に、支柱以外の部品点数を少なくすることができる。
【００１０】
【発明の実施の形態】
本発明の筒状の支柱を連結して枠体を構成する什器の、前記支柱を連結する構造であって、幅方向の中央部に形成された凹状部の底面部に雌ねじを有した孔が形成された基材と、この基材の前記雌ねじに螺入され、前記凹状部側の端面にレンチが挿入される穴が形成された調整雄ねじと、前記基材の凹状部で調整雄ねじの上方に配され、前記雄ねじの螺入出によって上下動するロック部材と、このロック部材を上下移動可能に保持しつつ前記基材に取付られる保持部材とを備えた連結機構を、一方の支柱に取り付け、一方の支柱に取り付けた前記連結機構を、前記調整雄ねじの穴と対応するレンチ挿入孔が形成された他方の支柱の筒状内に挿入することを特徴とする什器の連結構造ものである。
【００１１】
上記の構成によれば、一方の支柱には連結機構が取り付けられ、この連結機構が他方の支柱の筒状内に挿入される。このように、本発明の什器の連結構造では一方及び他方の支柱に互いを連結するための大きな孔を形成することがないので、支柱そのものの強度を低下させることがなく、むしろ他方の支柱においては連結機構が挿入されることで連結部位の強度を向上させることとなる。
【００１２】
上記構成の什器の連結構造における連結機構は、調整雄ねじをレンチによって回転させることで該調整雄ねじが基材の雌ねじを有した孔に対して螺入出する。このとき、調整雄ねじが螺出することでロック部材を上昇させる。ロック部材が上昇すると、このロック部材が他方の支柱の筒状内面と当接し、かつさらなる上昇により他方の支柱の筒状内面を広げるように押圧するから、他方の支柱から連結機構が抜けなくなって非常に強固な連結が可能となる。従って、什器自体を組み立てた後において、当該什器がねじれ方向に荷重を受けてもこの荷重に非常に強く、安定した構造体とすることができる。
【００１３】
また、上記構成の什器の連結構造は、一方の支柱と他方の支柱との連結において、連結機構自体は一方の支柱に既に取り付けられているため、一方及び他方の支柱の他に当該什器を組み立てるに当たって必要となる部材としてはレンチだけであるので、部材を紛失したりすることがなく、かつその分組み立てが容易となる。
【００１４】
【実施例】
以下に本発明の実施例について図面を参照して説明する。
図１本発明の什器の連結構造を示す。図２は本発明の什器の連結構造における連結機構を示す。図３は本発明の什器の連結構造における連結機構の調整雄ねじを示す。図４及び図５は本発明の什器の連結構造における動作状況を示す。
【００１５】
本発明の什器の連結構造は、例えば筒状の一方の支柱Ｐ１（支柱Ｐ１は特に筒状でなくてもよい）に、以下の構成とされる連結機構１を例えば溶接によって取り付け、この連結機構１を筒状の他方の支柱Ｐ２に挿入し、該連結機構１を作動させることによって強固でねじれに強い連結を実現するものである。
【００１６】
連結機構１は、図２及び図３に示されるように、その主要構成として、基材２と、調整雄ねじ３と、ロック部材４と、保持部材５と、を有している。基材２は、その長さ方向の一端が支柱Ｐ１に、例えば溶接によって取り付けられる。また、基材２は、支柱２に挿入可能な幅及び高さとされ、その幅方向の中央部を断面コ字状とされた収納空間２ａを有する。この収納空間２ａには、調整雄ねじ３と、ロック部材４と、保持部材５が収納される。
【００１７】
収納空間２ａおける底面部の幅及び長さ方向の中央部には、孔２ｂが形成されている。この孔２ｂには、収納空間２ａ内側において本実施例ではナット２ｃが例えば溶接によって取り付けられている。なお、このナット２ｃと孔２ｂはほぼ同径でもよいが、孔２ｂはレンチＷが挿入可能であればよいのでナット２ｃより大径であっても構わない。さらに、ナット２ｃを省略して孔２ｂ自体に雌ねじを形成した構成としてもよい。
【００１８】
調整雄ねじ３は、その外面に前記ナット２ｃに螺入可能な雄ねじ３ａが形成されており、かつ、一端面から軸方向途中位置までの内部に、レンチＷが挿入されると共に、レンチＷの外形形状に沿ったレンチ穴３ｂが形成されている。すなわち、調整雄ねじ３は、レンチ穴３ｂにレンチＷを挿入して回すことで、ナット２ｃに対して螺入出を行う。
【００１９】
ロック部材４は、前記した調整雄ねじ３のナット２ｃ（基材２）に対する螺出でこれと共に基材２に対して上昇し、螺入でこれと共に基材２に対して下降するものである。ロック部材４は、本実施例では例えば基材２と相似形、すなわち基材２の収納空間２ａに収納される幅及び長さとされ、その幅方向の中央部を断面コ字状とされている。そして、ロック部材４は、前記断面コ字状のその凹状の空間を可動空間４ａとし、その両壁面をロック部４ｂとしている。
【００２０】
保持部材５は、例えば平面視長さ方向の両端が幅広とされ、両端部を直角状に折り曲げている。この折り曲げ部位は取付部５ａとされ、取付部５ａは、収納空間２ａの長さ方向両端の底面に例えば溶接されて取り付けられる。また、取付部５ａ，５ａ間の面は規制面５ｂとされ、この規制面５ｂは、ロック部材４のそれ以上の上昇を規制する。
【００２１】
上記構成とされた連結機構１を取り付けた支柱Ｐ１と支柱Ｐ２は、次のように連結される。まず、支柱Ｐ２の端部の筒状内部に連結機構１を挿入し、支柱Ｐ２に形成された孔Ｐａと、基材２の孔２ｂとの位置合わせを行う。なお、支柱Ｐ２に形成された孔Ｐａは、本実施例では１個であるが基材の孔２ｂとを位置合わせが行える範囲で支柱Ｐ２の長さ方向に複数形成しておけば、微調整が行えるようになる。このときの支柱２と連結機構１との関係は図４（ａ）に、連結機構１の状態は図３（ａ）に示すようになる。
【００２２】
その後、支柱Ｐ２の孔Ｐａ、基材の孔２ｂ、及びナット２ｃを介してレンチＷを調整雄ねじ３のレンチ穴３ｂに挿入して、レンチＷを回転させる。レンチＷを回転させると、調整雄ねじ３は、ナット２ｃに対して螺出する。なお、ナット２ｃは基材２に溶接されて取り付けられているから調整雄ねじ３と共に回転することがない。
【００２３】
調整雄ねじ３がナット２ｃに対して螺出すると、これに伴って調整雄ねじ３におけるレンチ穴３ｂが形成された側と反対の端面でロック部材４を図３（ｂ）及び図４（ｂ）に示すように上昇させる。ロック部材４が上昇すると、図３（ｂ）に示すように、該ロック部材４のロック部４ｂが基材２の収納空間２ａの両壁面から突出する。そして、ロック部材４のロック部４ｂが支柱Ｐ２の内面に当接し、さらに支柱Ｐ２の内面をその内部空間を広げるように押圧するから強固に連結されるのである。
【００２４】
なお、ロック部材４は、調整雄ねじ３の軸長さに較べて、保持部材５の規制面５ｂと可動空間４ａの底面とが当接するまでの距離が短くされており、調整雄ねじ３が、ナット２ｃより完全に螺出する前に可動空間４ａの底面が保持部材５の規制面５ｂに当接することで、該調整雄ねじ３が連結機構１内の収納空間２ａ内でナット２ｃから外れてしまうことを防止している。
【００２５】
そして、支柱Ｐ２と支柱Ｐ１との連結を解除するときには、レンチＷを再度孔Ｐａ、孔２ｂ及びナット２ｃを介して調整雄ねじ３のレンチ穴３ｂに挿入して、レンチＷを上記とは逆に回転させる。レンチＷを上記と逆に回転させると、調整雄ねじ３は、ナット２ｃに対して螺入する。
【００２６】
調整雄ねじ３がナット２ｃに対して螺入すると、これに伴ってロック部材４が図３（ａ）及び図４（ａ）に示すように下降する。ロック部材４が下降すると、図３（ａ）に示すように、該ロック部材４のロック部４ｂが基材２の収納空間２ａの両壁面へ没入し、ロックが解除される。
【００２７】
このように本発明の什器の連結構造は、連結機構１を他方の支柱Ｐ２内に挿入してかつ、連結機構１の挿入の長さが長ければ長いほど連結は強固となり、つまり、支柱１及び支柱２に対して互いを連結するための大きな孔を形成する必要がないから、支柱１及び支柱２自体の強度が大きく低下することがない。
【００２８】
そして、本実施例においては支柱Ｐ２に連結機構１が挿入されることによって、支柱Ｐ１と支柱Ｐ２の連結箇所は連結機構１で補強されていることになるから、連結後に什器自体にねじれ方向の力がかかってもこの応力に耐えることができ、非常に強固でかつ安定した連結となる。さらに、特に本実施例では筒状の支柱２として角管を採用しているから、この場合は、基材２及びロック部材４の外形形状も角管の角を滑らないから支柱Ｐ２が回転したりすることがなく、一層ねじれに対して強く連結した状態となる。
【００２９】
なお、上記実施例では、支柱Ｐ２を角管として説明したが、円筒管であってもよい。その場合は、基材２及びロック部材４の断面形状を略半円弧状で形成しておけば対応が可能である。
【００３０】
【発明の効果】
以上のように、本発明の什器の連結構造は、調整雄ねじを基材の雌ねじを有した孔に対して螺出させることで上昇するロック部材を有した連結機構を、一方の支柱に取り付け、この連結機構を他方の支柱の筒状内に挿入して一方と他方の支柱を連結する構成としたので、一方及び他方の支柱に互いを連結するための大きな孔を形成することがなく、かつ支柱そのものの強度を低下させることがなく、むしろ他方の支柱においては連結機構が挿入されることで連結部位の強度を向上させることができ、また、ロック部材により他方の支柱の筒状内面を広げるように押圧するから、非常に強固な連結が可能となると共に、組立後の什器がねじれ方向に荷重を受けてもこの荷重に非常に強く、安定した構造体とすることができ、またさらに、連結機構自体は一方の支柱に既に取り付けられているため、部材を紛失したりすることがなく、かつその分組み立てが容易となる。
【図面の簡単な説明】
【図１】本発明の什器の連結構造を示し、（ａ）は一方向から見た斜視図、（ｂ）は（ａ）の反対方向から見た斜視図、である。
【図２】本発明の什器の連結構造における連結機構を示す図である。
【図３】本発明の什器の連結構造における連結機構の調整雄ねじを示す図である。
【図４】本発明の什器の連結構造の使用状況における連結機構と他方の支柱との関係を示し、（ａ）は連結機構を他方の支柱に挿入した状態を、（ｂ）は連結機構を作動させて他方の支柱を強固に連結した状態を、各々示す図である。
【図５】本発明の什器の連結構造における連結機構の動作状況を示し、（ａ）は連結機構の作動させる前の状態を、（ｂ）は連結機構を作動させたときの状態を、各々示す図である。
【符号の説明】
１  連結機構
２  基材
２ｃ  ナット
３  調整雄ねじ
３ｂ  レンチ穴
４  ロック部材
４ｂ  ロック部
５  保持部材
Ｐ１  （一方の）支柱
Ｐ２  （他方の）支柱
Ｗ  レンチ
【図１】
2005036840.tif 000003
【図２】
2005036840.tif 000004
【図３】
2005036840.tif 000005
【図４】
2005036840.tif 000006
【図５】
2005036840.tif 000007